(57)【特許請求の範囲】
【請求項１】
水平状の天板の両側縁から夫々側板が下方に折り曲げられた鋼板製の反射板と、この反射板の長手方向両端に夫々連結された合成樹脂製の端板とを有するとともに、前記端板の上縁にこの縁から折れ曲がって前記反射板の天板の端部外面を覆う外側突出部を設け、かつ、前記側板および端板の下縁に相連続する張出し縁部を設けた下面開口の器具本体を備え、この器具本体が、天井に形成された器具埋め込み開口に通されるとともに、この埋め込み開口の縁部下面に前記張出し縁部を当接させて、前記天板の長手方向両端部においてその幅方向中央位置に夫々開けられた器具取付け孔に上方から通される吊りボルトに前記天板の下方から螺合されるナットを介して取付けられる天井埋め込み型照明器具において、
前記端板と前記器具取付け孔との間の天板端部側部分に、その幅方向に延びて設けられたスリット状をなす単一の細長い開口で形成された変形遮断手段を設けたことを特徴とする天井埋め込み型照明器具。
【請求項２】
前記器具本体は、前記端板の内面間の長さと略等しい長さであって、前記反射板の幅方向中央部に配置されたＶ形反射板を備えており、
前記変形遮断手段をなす開口は、その全長が前記Ｖ形反射板の幅よりも長いとともに、前記器具取付け孔よりも前記端板側に寄せて設けられていることを特徴とする請求項１記載の天井埋め込み型照明器具。
【発明の詳細な説明】
【０００１】
【産業上の利用分野】
本発明は、例えばオフィスビルや店舗などの天井に埋め込んで使用される天井埋め込み型照明器具に関する。
【０００２】
【従来の技術】
図１３は従来の天井埋め込み型照明器具全体の構成を示した斜視図であって、この器具は、下面が開口された器具本体１の内部に、断面Ｖ字状をなす仕切り用のＶ形反射板２を取付けるとともに、ランプソケット３に支持される直管型けい光ランプ４をＶ形反射板２の両側に夫々配置して形成されている。
【０００３】
図１３〜図１６に示されるように器具本体１は、板金製の反射板７と、この反射板７の長手方向両端に夫々溶接止めされた板金製の端板８とで形成されている。反射板７は、一対の補強ビード付きの天板７ａの両側に斜めの側板７ｂを互いにハの字形に配置されるように折り曲げて形成されている。
【０００４】
図１４および図１５に示されるように端板８には、天板７ａの端部外面に重なる複数の固定片８ａが折り曲げられているとともに、これらを間において側板７ｂの端部外面に重なる固定片８ｂが折り曲げられている。これら複数の固定片８ａ、８ｂを反射板７の端部外面に重ねて、その部分をスポット溶接等で溶接することによって、反射板７と端板８とが連結されている。
【０００５】
また、図１４等に示されるように側板７ｂの下縁から外側に張出して形成され張出し縁部７ｃの端部と、端板８の下縁から外側に張出して形成された張出し縁部８ｃの端部とにわたって、これらの合わせ目９を上面から覆い隠す金属製の継ぎ手板１０を設け、この板１０を相連続する張出し縁部７ｃ、８ｃに溶接して、器具本体１が組立てられている。
【０００６】
なお、図１６中５はＶ形反射板２の取付け金具、６は器具本体１の長手方向両端に個別に取付けられて、Ｖ形反射板２の内側からランプソケット３に至る配線（図示しない）を覆い隠すための樋状をなす線隠しである。
【０００７】
器具本体１の天板７ａには、その長手方向両端部の幅方向中央位置において夫々長円形の器具取付け孔（一方のみ図１４、図１５等に図示。）１１が設けられている。また、図１７および図１８に示されるように室内天井１２には器具本体１の形状に対応した器具埋め込み開口１２ａが開けられており、この開口１２ａ上には建物の躯体に支持された一対の吊りボルト１３（一方のみ図示。）が配置されている。
【０００８】
そして、この図１７に示されるように器具本体１は次のようにして室内天井１２に埋め込んで取付けられている。まず、器具本体１の張出し縁部７ｃ、８ｃを室内天井１２における器具埋め込み開口１２ａの縁部下面に当接させるとともに、器具取付け孔１１にその上方から天井裏の吊りボルト１３を挿通させる。次に、このボルト１３に天板７ａの下方からワッシャ１４を嵌合するとともにナット１５を螺合して、このナット１５を締め付ける。
【０００９】
こうした吊りボルト１３へのナット１５の螺合により、器具本体１が室内天井１２に埋め込んで取付けられる。そして、この取付けにおいて、器具本体１の張出し縁部７ｃ、８ｃと室内天井１２との間の隙間をなくして相互の密着性を良くするために、ナット１５をかなり強く締め上げることは必要不可欠となっている。
【００１０】
また、図１３図中２点鎖線は、以上のようにして室内天井１２に固定される天井埋め込み型照明器具に対して、その長手方向に隣接して設けられる他の天井埋め込み型照明器具を示している。こうして一列に連なる照明器具のライン状配置において、隣接する器具本体１の端板８が備える張出し縁部８ｃ同志は、互いに接して連続されるようになっている。
【００１１】
【発明が解決しようとする課題】
前記の手順により器具本体１を室内天井１２に埋め込んで取付けるときのナット１５の強い締め上げにしたがい、図１８に示されるよう反射板７の天板７ａの長手方向の端部が器具取付け孔１１回りを中心としてナット１５で持ち上げられることは避けられない。
【００１２】
こうしたナット１５の強い締め上げに基づく天板７ａの長手方向の端部の変形の影響は、その周囲に波及する。すなわち、天板７ａの長手方向の端部に連結されている端板８に対しては、その幅方向中央部を最大の作用点として前記天板７ａの変形の影響が作用するとともに、側板７ｂに対しては、天板７ａの器具取付け孔１１を通る幅方向両側に位置される側板部分を最大の作用点として前記天板７ａの変形の影響が作用する。
【００１３】
そのため、端板８の張出し縁部８ｃが、図１６及び図１８中２点鎖線で示されるようにその長手方向中央部を最大の変位部として上側に反って変形し易い。なお、図１６中Ｊは張出し縁部８ｃの最大反り量を示しているとともに、こうした上向きの反り変形は、端板８が合成樹脂製の場合に特に発生し易い。また、同様に図１８中実線に示されるように前記変形の影響で側板７ｂの張出し縁部７ｃの長手方向の端部が、前記最大作用点となる箇所を最大の変位部として上側に反って変形し易い。なお、図１８中Ｋは張出し縁部７ｃの最大反り量を示している。このように従来の照明器具では、ナット１５の締め付けに起因して、器具本体１の長手方向の端部において張出し縁部７ｃ、８ｃに反り変形が発生し易いから、室内天井１２に器具本体１を取付けた状態での外観がよくないという問題がある。特に、図１３に示されるように複数の照明器具が一列に連なるライン状配置に取付けられる場合に、前記のような反り変形があると、隣接された器具本体１相互間において張出し縁部８ｃ間に段差が生じて、それが目立ち易くなるので、外観を損ない易いという問題がある。
【００１４】
したがって、本発明が解決しようとする課題は、天井への器具本体の取付けに伴って器具本体の長手方向の端部に反りが発生することを簡単な構成で抑制して、前記天井に取付けた状態での外観を向上できる天井埋め込み型照明器具を得ることにある。
【００１６】
【課題を解決するための手段】
本発明は、水平状の天板の両側縁から夫々側板が下方に折り曲げられた鋼板製の反射板と、この反射板の長手方向両端に夫々連結された合成樹脂製の端板とを有するとともに、前記端板の上縁にこの縁から折れ曲がって前記反射板の天板の端部外面を覆う外側突出部を設け、かつ、前記側板および端板の下縁に相連続する張出し縁部を設けた下面開口の器具本体を備え、この器具本体が、天井に形成された器具埋め込み開口に通されるとともに、この埋め込み開口の縁部下面に前記張出し縁部を当接させて、前記天板の長手方向両端部においてその幅方向中央位置に夫々開けられた器具取付け孔に上方から通される吊りボルトに前記天板の下方から螺合されるナットを介して取付けられる天井埋め込み型照明器具を前提とする。
【００１７】
そして、前記課題を解決するために、請求項１の発明は、前記端板と前記器具取付け孔との間の天板端部側部分に、その幅方向に延びて設けられたスリット状をなす単一の細長い開口で形成された変形遮断手段を設けたことを特徴としている。
【００１８】
この請求項１の発明において、変形遮断手段は、器具本体が有した反射板の天板における器具取付け孔と器具本体の端板との間の天板端部側部分の強度を低下させて、この天板端部側部分の変形を他の部分に比較して容易にする。それにより、天井の器具埋め込み開口に挿入された器具本体を、天井裏の吊りボルトに螺合されたナットの締め上げにより取付ける際に、過度の締め上げがなされた場合に、前記強度が低下された天板端部側部分の一部に変形を集中させて、過度な締め上げの影響が端板等周囲に波及することを少なくする。
【００２０】
しかも、変形遮断手段は単一のスリット状をなす細長い開口であるので、その構造が簡単であり、しかも、この細長い開口は天板端部側部分の幅方向に延びているので、前記ナットの過度な締め上げの影響が端板側に波及することを、この細長い開口において確実に遮断する。
又、請求項２の発明のように、前記器具本体は、前記端板の内面間の長さと略等しい長さであって、前記反射板の幅方向中央部に配置されたＶ形反射板を備えており、前記変形遮断手段をなす開口は、その全長が前記Ｖ形反射板の幅よりも長いとともに、前記器具取付け孔よりも前記端板側に寄せて設けるとよい。
【００２１】
【発明の実施の形態】
以下、図１〜図１１を参照して本発明の第１の実施の形態を説明する。
図１は第１の実施の形態に係る天井埋め込み型照明器具全体の構成を示した斜視図であって、この照明器具は、例えば２灯用であって、室内天井Ｅ（図２等参照）に埋め込んで設置される。この照明器具は、図１および図６に示されるように下面が開放された器具本体２１と、この内部に反射板取付け具２２を介して取付けられたＶ形反射板２３と、この反射板２３の裏側において器具本体２１に固定された放電灯安定器等の点灯装置２４と、ランプソケット２５と、光源例えば器具本体２１の長手方向に離間して配置されたランプソケット２５に渡って着脱可能に支持された直管型のけい光ランプ２６とを備えている。
【００２２】
図１に示されるように器具本体２１は、内面を反射面とした一つの反射板３１と、この反射板３１の長手方向両端を個別に塞いで設けられた左右一対の端板３２とから形成されている。
【００２３】
器具本体２１の主部をなす反射板３１は例えば白色系のカラー鋼板からなる。この反射板３１は、図４〜図６に示されるように水平な平板状をなす天板３３の幅方向両側に、夫々側板３４を折り曲げて形成されている。一対の側板３４は、例えば天板３３との間に鈍角をなして斜めに折り曲げられていて、図６に示されるようにハの字形の配置をなして設けられている。
【００２４】
両側板３４の下縁には外側へ張出す張出し縁部３５が夫々設けられている。これらの縁部３５は、側板３４の下縁から水平に折り曲げられた張出しベース３５ａと、その張出し端から垂直に起立された起立部３５ｂとから略Ｌ字状断面をなして形成されている。したがって、張出し縁部３５とこれに連なった側板３４とにより、反射板３１の長手方向全長に渡って延びるとともに、上面が開放された溝Ａが形成されている。
【００２５】
起立部３５ｂは断面逆Ｕの字状をなして折り返されている。この折り返し部分は溝Ａに臨んでいる。図５および図７に示されるように起立部３５ｂの長手方向両端部には、溝Ａに臨む一対のスリット３６、およびこれらの間の部分からなる切り起こし片３７が夫々形成されている。
【００２６】
反射板３１の長手方向両端部には、図５に代表して示されるように一対の小判形の固定孔３８と一つのねじ受け孔３９とが形成されている。一対の固定孔３８は反射板３１の天板３３の端部における幅方向両端部に夫々設けられ、かつ、ねじ受け孔３９は反射板３１の天板３３の端部における幅方向中央位置に形成した隆起部に設けられている。
【００２７】
図４および図５等に示されるように天板３３の長手方向両端部における幅方向中央位置には、天板３３の長手方向に延びる長円形状の器具取付け孔５６が夫々開けられている。この取付け孔５６には器具本体２１を天井に埋め込んで取付けるための吊りボルト５７が通される。このボルト５７には、ワッシャ５８が嵌合されるとともに、このワッシャ５８を支持してナット５９が螺合される。２本の吊りボルト５７は、建物の躯体の天井スラブから下方に突出し、かつ、室内天井Ｅに形成された器具埋め込み開口Ｆ上にこの開口Ｆの長手方向両端部に夫々対向して設けられている。
【００２８】
器具埋め込み開口Ｆは、器具本体２１の形状に対応して設けられ、器具本体２１の相連続した張出し縁部３５および４８（後述する）がなす四角形状よりは小さい長方形の開口である。なお、複数の天井埋め込み型照明器具をその長手方向に一側線に並べてライン状配置とする場合の器具埋め込み開口Ｆは、並設される台数に応じた長さを有して形成される。
【００２９】
さらに、図３〜図５、図１０、および図１１に示されるように天板３３の長手方向両端部には、器具取付け孔５６と端板３２との間の天板端部側部分３３ａに位置してスリット状をなす一本の細長い開口６０が設けられている。この開口６０は、前記ナット５９の締め上げに伴う天板３３の変形が端板３２側等に波及しないように前記変形の周囲への伝搬を遮断するための変形遮断手段として使用されるものであって、少なくとも前記天板端部側部分３３ａの幅方向中央部に位置して設けられている。
【００３０】
そして、この第１の実施の形態においては、天板端部側部分３３ａの幅方向に延びて形成されているとともに、その全長を前記Ｖ形反射板２３の幅よりも長くしてある。しかも、こうした構成の開口６０は器具取付け孔５６よりも端板３２側に寄せて設けられている。それによって、Ｖ形反射板２３の幅方向両側に突出配置される開口６０の長手方向両端部が、ランプソケット２５に支持されたけい光ランプ２６の最も高温部となるフィラメント部の略真上に位置されて、器具本体２１外への放熱孔部として用いられるようになっている。
【００３１】
左右一対の端板３２は、ＰＢＴ或いはＡＢＳ等の合成樹脂の成形品からなる。これら端板３２をＰＢＴ（ポリブチレンテレフタレート）で成形した本実施例では、端板３２に高い難燃性（難燃性を定めた規格の難燃グレードでＶ０の難燃性）を得ることができるだけでなく、反射板３１をなしたカラー鋼板と同じ白系色の成形を得ることができ、その反射特性がよい点で優れている。
【００３２】
図３〜図６に示されるように端板３２の下縁以外の縁部には、端板フランジ部としての第１、第２の外側突出部４１、４２と、内側突出部４３とが夫々一体に設けられている。第１外側突出部４１は、一対あって、これらは端板３２の斜めとなった両側縁から直角に折れ曲がっていて、対応する反射板３１の側板３４の端部外面の殆どを覆うように設けられている。第２外側突出部４２は、一つであって、端板３２の上縁の中央部から直角に折れ曲がっていて、対応する反射板３１の天板３３の端部外面の中央部を覆うように設けられている。
【００３３】
この外側突出部４２にはねじ受け孔３９に対向する通孔４４が設けられていて、この通孔４４を通ってねじ受け孔３９に螺合されるねじ４５により、端板３２が反射板３１に固定されるようになっている。したがって、ねじ受け孔３９およびねじ４５は第１の外れ止め手段をなしている。この手段は、より確実に反射板３１に対する端板３２の外れ止めをするために設けたが、これは省略することもできる。
【００３４】
内側突出部４３は、一対あって、これらは端板３２における第１、第２の外側突出部４１、４２間の縁部分から直角に折れ曲っていて、対応する反射板３１の端部内面に重なり合うように設けられている。これら内側突出部４３と第１、第２の外側突出部４１、４２の隣接する端部間には夫々スリット４６（図５参照）が形成されている。したがって、各突出部４１〜４３はスリット４６を介して端板３２の両側縁および上縁に渡って連続的に設けられている。
【００３５】
一対の内側突出部４３は、反射板３１の天板３３と側板３４とがなす角部に対応する角部形状をなして、反射板３１の前記角部内面に重なり合うようになっている。しかも、これら内側突出部４３の上面には前記固定孔３８と対応して係止凸部４７が夫々一体に突設されている。係止凸部４７は、内側突出部４３の上面に対して垂直状に立ち上がる係止面を端板３２の外面側に有し、かつ、この係止面から内側突出部４３の先端側に行くにしたがって次第に低くなるように傾斜する斜面を有して側面視直角三角形状をなしている。これら係止凸部４７は、固定孔３８に入り込んで、その係止面を固定孔３８に引っ掛けて端板３２を反射板３１に固定するようになっている。したがって、固定孔３８および係止凸部４７は第２の外れ止め手段をなしている。
【００３６】
端板３２の下縁には外側へ張出す張出し縁部４８が夫々設けられている。この縁部４８は、端板３２の下縁から水平に折り曲げられた張出しベース４８ａと、その張出し端から垂直に起立された起立部４８ｂとから略Ｌ字状断面をなして形成されている。したがって、端板３２の下端部にはその幅方向に全長に渡って延びるとともに、上面が開放された溝Ｂが形成されている。この溝Ｂの両端は反射板３１が備える溝Ａの端に連続されるようになっている。
【００３７】
端板３２の幅方向両端部には、張出し縁部４８の両端から一体に延出された連結凸部４９が夫々設けられている。この凸部４９は、図５に示されるように反射板３１が備える溝に挿入されるものであって、張出しベース３５ａの上面に重なる凸部ベース４９ａと、この側縁から垂直上方に折れ曲るように起立されて前記断面逆Ｕ字形の起立部３５ｂの内部に挿入される挿入部４９ｂとからＬ字状をなして形成されている。
【００３８】
この連結凸部４９と張出し縁部４８との間には段差５０（図９参照）が形成されている。段差５０は、凸部ベース４９ａの下面と挿入部４９ｂの外面および上端面とにわたり略Ｌ形をなして設けられ、その深さは反射板３１の板厚と同じである。それにより、反射板３１に端板３２を連結して器具本体２１を組み立てた時に、互いに連続する張出しベース３５ａ、４８ａが面一に連なり、同様に互いに連続するに起立部３５ｂ、４８ｂの外面が面一に連なるとともに、起立部３５ｂ、４８ｂの上端面が面一に連なって、良好な器具本体２１の外観を呈するようになっている。
【００３９】
挿入部４９ｂは起立部３５ｂ内に容易に挿入できるように先細状に形成されている。そして、この挿入部４９ｂにはその上面から切欠溝５１が設けられている。この切欠溝５１には図８および図９に示されるように前記切り起こし片３７が入り込んで係合され、それによって、端板３２を反射板３１に固定するようになっている。したがって、切り起こし片３７および切欠溝５１は第３の外れ止め手段をなしている。
【００４０】
また、図２および図５に示されるように端板３２には一対のソケット装着孔５２が二組設けられていて、これらを用いて端板３２の内面にランプソケット２５が夫々直接装着されている。
【００４１】
すなわち、図５および図６に示されるようにランプソケット２５は、その合成樹脂製ソケッドボデーの幅方向両側部に、背面側に一体に突出された係止突起部２５ａを有しており、これら一対の突起部２５ａの突出端には抜け止めヘッドが形成されている。こうした係止突起部２５ａを備えたランプソケット２５は、その突起部２５ａを自らの弾性変形を介して対応する一対のソケット装着孔５２に通し、この孔５２に前記抜け止めヘッドを掛合させることにより、ねじその他の固定部品を使用することなく端板３２に取付けられている。器具本体２１の長手方向に対向するランプソケット２５間には、けい光ランプ２６が着脱可能に取付け支持されている。
【００４２】
なお、図２および図５に示されるように端板の幅方向中央部には送り配線用通孔５４と、この両側に位置して一対の金具取付け孔５５とが設けられている。複数の照明器具を長手方向に並設してライン状配置とする場合に、隣接する照明器具間に設けられて、これら隣接する照明器具の相対向する端板同志を連結するための連結金具が、金具取付け孔５５を通るねじにより端板３２の外面に固定されるものである。
【００４３】
前記反射板取付け具２２は、反射板３１の天板３３に取付けられており、これらを介してＶ形反射板２３が反射板３１の内面に取付けられている。このＶ形反射板２３は、器具本体２１における端板３２の内面間の長さと略等しい長さであって、反射板３１の幅方向中央部に配置されており、その両側にけい光ランプ２６が夫々配設されている。天板３３にはＶ形反射板２３で覆い隠されて点灯装置２４が取付けられている。
【００４４】
前記構成の照明器具の器具本体２１は次のようにして組み立てられる。
まず、図５に示されるように反射板３１の長手方向両端に端板３２を対向させ、その連結凸部４９と反射板３１の張出し縁部３５とを位置合わせしてから、反射板３１の端部に端板３２が嵌まるように組み合わせる。
【００４５】
それにより、はじめに、反射板３１の側板３４と張出し縁部３５とがなす溝Ａに連結凸部４９が圧入気味に挿入され、同時に、この凸部４９の挿入部４９ｂが張出し縁部３５の起立部３５ｂ内に圧入気味に挿入される。そして、これらの進行に伴って、端板３２の第１外側突出部４１が反射板３１の端部における天板３３の中央部外面に重なるようになるとともに、一対の第２外側突出部４２が反射板３１の端部における側板３４の外面に重なるようになり、かつ、端板３２の一対の内側突出部４３が反射板３１の端部における天板３３と側板３４とがなす角部の内面に重なり合うようになる。この組み合わせは、内外の突出部４１〜４３間のスリット４６に反射板３１の端部が通されることで実現できる。
【００４６】
こうした反射板３１の端部への端板３２の嵌合作業は、端板３２の内面および段差５０に反射板３１の長手方向の端面が突き当たることにより終了する。それにより、合成樹脂製の端板３２は、その内外の突出部４１〜４３で反射板３１の端部を内外から挟むように反射板３１に組み合わされて、反射板３１の端部開口を閉鎖して設けられる。
【００４７】
この組み合わせ状態では、内外の突出部４１〜４３と反射板３１の端部との係合で、反射板３１および端板３２が上下方向に不用意に分離することが防止される。しかも、側板３４とその張出し縁部３５とがなす溝ａへの連結凸部４９への挿入により、連結凸部４９を介して反射板３１と端板３２の張出し縁部３５、４８相互が結合して、反射板３１から端板３２が外れないように仮保持できる。
【００４８】
その上、内側突出部４３の上面に反射板３１の天板３３と側板３４とがなす角部が重なることに伴って、反射板３１の一対の固定孔３８に内側突出部４３の係止凸部４７が夫々引っ掛けられる。したがって、これらの係合によっても反射板３１から端板３２が外れないように保持できる。
【００４９】
また、前記組み合わせ状態では、張出し縁部３５の前記段差５０への当接により、連結凸部４９の切欠溝５１と起立部３５ｂの切り起こし片３７とが位置決めされている。
【００５０】
次に、切り起こし片３７を側板３４側から変形させて、図８および図９に示されるように切欠溝５１内に入り込ませ、この溝５１と切り起こし片３７とを係合させる。この係合により、固定部品を用いることなく連結凸部４９が反射板３１の張出し縁部３５から外れることを防止できる。
【００５１】
最後に、ねじ４５を第１外側突出部４１の通孔４４に通して、これに対向している反射板３１のねじ受け孔３９に螺合して締め付ける。それにより、反射板３１と端板３２とを固定して、端板３２が反射板３１から万が一にも不用意に外れることを防止できる。
【００５２】
以上の手順により下面が開放された器具本体２１が組み立てられる。また、こうして組み立てられた器具本体２１が後述の手順で室内天井Ｅに埋め込みんで取付けられた後に、Ｖ形反射板２３が反射板３１に取付けられて器具全体の組み立てが完了する。このＶ形反射板２３により、点灯装置２４およびねじ４５の先端部等が覆い隠される。なお、端板３２の内面へのランプソケット２５を取付け、および反射板３１への反射板取付け具２２、点灯装置２４および図示しない端子台等の取付けは、器具本体２１の組み立て前或いは組み立て後に行われる。
【００５３】
このように組み立てられる照明器具は、その器具本体２１を以上のように溶接止めによることなく組み立てることができるので、溶接の手間を省略でき、それに伴って反射板３１にカラー鋼板を使用できるとともに、端板３２を塗装を必要としない合成樹脂製とできるので、器具本体２１の製造に当たり塗装を省略できる。しかも、以上のように内外の突出部４１〜４３および連結凸部４９と反射板３１の端部とが互いに入り組んで組み合わされることにより、器具本体２１の組み立て強度を向上できる。それに伴いねじ止めをするにしても、そのねじ止め箇所を１箇所程度に少なくできるから、組み立てに要する部品や工数も少なくできる。したがって、この照明器具の中でも主要な部品である器具本体２１を低コストで作ることができ、ひいては照明器具のコストダウンが可能である。
【００５４】
次に、前記器具本体２１を室内天井Ｅに埋め込んで取付ける手順を説明する。まず、組み立てられた器具本体２１を、その天板３３を上にした姿勢で室内天井Ｅの器具埋め込み開口Ｆに挿入する。この挿入に伴い、天井裏において器具埋め込み開口Ｆの真上に臨んでいる２本の吊りボルト５７の下端部を、天板３３の長手方向両端部に開けられた器具取付け孔５６に夫々上方から挿入させる。また、こうした器具埋め込み開口Ｆへの器具本体２１の埋め込み深さは、この本体２１の下縁に張出し形成された相連続する張出し縁部３５、４８が、器具埋め込み開口Ｆの縁部下面に当接することにより規制される。
【００５５】
この後、器具本体２１の天板３３の下方から、器具取付け孔５６を下方に貫通した吊りボルト５７に対してワッシャ５８を夫々嵌合させてから、これらのボルト５７に夫々ナット５９を螺合して締め上げる。
【００５６】
それにより、ワッシャ５８を介して器具本体２１が押し上げられるので、この本体２１の張出し縁部３５、４８が器具埋め込み開口Ｆの縁部下面に隙間なく密着して、器具本体２１が室内天井Ｅに埋め込んで取付けられる。以上の手順で器具本体２１が適正に取付けられた状態は図１０に示されている。
【００５７】
ところで、こうした取付けにおいて、張出し縁部３５、４８を器具埋め込み開口Ｆの縁部下面に密着させるためにナット５９が過大に締め上げられることがある。この場合、ナット５９の強い締め上げにより、器具本体２１が備える反射板３１の天板３３の長手方向の端部は、器具取付け孔５６回りを中心として持ち上げられるような変形を起こす。
【００５８】
しかし、器具取付け孔５６と端板３２との間の天板端部側部分３３ａにはスリット状の細長い開口６０が設けられていて、この天板端部側部分３３ａの強度を他の部分よりも低下させている。それにより、前記ナット５９が強く締め上げられた場合に、開口６０と器具取付け孔５６との間の部分の一部に締め上げに伴う天板３３の変形を集中させて、同一部分を上に凸となるように容易に変形させることができるとともに、この変形が端板３２側等に波及することを開口６０により断ち切ることができる。なお、ナット５９が過大に締め上げられて器具本体２１が取付けられた状態は図１１に示されている。
【００５９】
そのため、ナット５９の締め上げに伴う天板端部側部分３３ａの変形の影響が、この部分と端板３２との連結部に及ぶことが極めて小さくなるから、前記ナット５９の締め上げに伴って端板３２が上向きの力を過大に受けることがなく、それによって端板３２の張出し縁部４８がその幅方向中央部を最大の変位部として上側に反る変形を抑制できる。
【００６０】
しかも、以上のように天板端部側部分３３ａの開口６０と器具取付け孔５６の間の部分を容易に変形させて、前記締め上げ力の大半を吸収できるから、器具取付け孔５６を通る天板３３の幅方向両側に位置される側板３４の部分に対しても、前記締め上げに伴う天板３３の変形の影響が波及することを極めて小さくできる。それにより、側板３４の長手方向の端部において、その張出し縁部３５が上側に反る変形も抑制できる。
【００６１】
以上のようにナット５９の締め上げに起因して、器具本体２１の長手方向の端部において張出し縁部３５、４８に反り変形を発生することを抑制できるから、室内天井Ｅに器具本体２１を取付けた状態での外観を向上できる。
【００６２】
それに伴って、特に、図１の２点鎖線との組合わせで示されるように複数の照明器具を一列に連なるライン状配置に取付けた場合に、既述のように張出し縁部３５、４８の反り変形が抑制されているので、隣接された器具本体２１相互間の張出し縁部４８間に目立ち易い段差を生じることがなく、したがって、その場合の外観も向上できるものである。
【００６３】
しかも、既述のように変形が端板３２等へ波及することを抑制できることによって、ナット５９の締め上げ過ぎを気にすることなく作業ができるので、器具の天井への取付け作業性を向上できるとともに、ナット５９の強い締め上げに伴って張出し縁部３５、４８を確実に室内天井Ｅの下面に隙間なく密着させることができる。
【００６４】
図１２は本発明の参考例を示している。この参考例は、変形遮断手段の構成のみが前記第１の実施の形態とは異なり、それ以外の構成は図１２に図示されない部分を含めて図１〜図１１に示した前記第１の実施の形態の天井埋め込み型照明器具と同一ないしは同様な構成である。そのため、図示されない構成については、図１〜図１１をもって代用するとともに、図示される同一ないしは同様な構成部分には第１の実施の形態と同一の符号を付して、それらの構成の説明およびそれに基づく作用効果の説明については省略するが、これら同一ないしは同様な部分についても参考例に係る天井埋め込み型照明器具の構成の一部をなすものである。
【００６５】
この参考例での変形遮断手段は、複数の互いに平行な細長いスリット状をなす開口６０により形成されている。これらの開口６０は端板３２と器具取付け孔５６との間の天板端部側部分３３ａの幅方向中央部に、天板３３の長手方向に延びて設けられていて、隣接の開口６０相互間に好ましくは開口６０の幅よりも狭い細長いブリッジ部３３a1を設けている。したがって、各開口６０が設けられた部分の強度はその回りの部分よりも低く、各ブリッジ部３３a1は容易に変形することができる。
【００６６】
また、この参考例においては、前記各開口６０はいずれもＶ形反射板２３（図６等参照）により下側から覆い隠されるように設けられている。それにより、開口６０を通しての器具本体２１外への光漏れをなくしている。しかし、これに限らず、天板３３の幅方向両端よりの一部の開口６０を、Ｖ形反射板２３反射板２３から外れて覆い隠されない位置に設けて、その開口６０をけい光ランプ２６（図１参照）の高温となるフィラメント部回りに対向させて、このランプ２６からの放熱性を向上させてもよい。なお、以上の点以外の構成は前記第１の実施の形態と同じである。
【００６７】
このような構成の参考例においても、器具本体２１を天井裏の吊りボルト５７に螺合して締め上げられるナット５９を介して取付ける際に、仮に、ナット５９の締め上げが強すぎても、それに伴う天板端部側部分３３ａの変形を各開口６０間のブリッジ部３３a1に集中させて、この変形が端板３２側および側板３４側に波及することを抑制できる。
【００６８】
なお、本発明は前記実施例に制約されない。
【００７０】
例えば、本発明は、Ｖ形反射板２３を省略して器具本体２１内に１本の直管型けい光ランプ２６を設けた１灯用の天井埋め込み型照明器具、または、Ｖ形反射板２３を複数設けて、けい光ランプ２６を３本以上取付けて使用される天井埋め込み型照明器具にも適用できるとともに、光源としてのランプは直管形のけい光ランプ以外に環型ランプその他のランプを使用できる。
【００７１】
また、本発明において、器具本体２１の反射板３１における側板３４は、天板３３に対して直角に折り曲げて設けてもよい。
【００７２】
【発明の効果】
本発明は、以上説明したような形態で実施され、以下に記載されるような効果を奏する。
【００７３】
請求項１の発明によれば、器具本体の取付けにおいて吊りボルトに螺合されるナットが過度に締め上げられても、器具本体が備える鋼板製反射板の天板における器具取付け孔と器具本体の合成樹脂製端板との間の天板端部側部分にその幅方向に延びて設けられたスリット状をなす単一の開口からなる変形遮断手段により、前記天板端部側部分の一部に変形を集中させて、前記過度な締め上げの影響が端板等周囲に波及することを少なくできる。しかも、そのための構成が簡単であるとともに、その構成により、前記過度な締め上げの影響が端板に波及することを確実に遮断できる。したがって、天井への器具本体の取付けに伴って器具本体の端部に反りが発生することが抑制されて、天井に取付けた状態での外観を向上できる。また、それにより、複数の照明器具を一列に連なるライン状配置に取付けた場合に、隣接された器具本体の端板の張出し縁部間に段差が生じることも少なくなって、体裁よく複数の照明器具を前記ライン状配置に取付けることができる。
【図面の簡単な説明】
【図１】本発明の第１実施例に係る天井埋め込み型照明器具全体の構成を示す斜視図。
【図２】第１実施例に係る天井埋め込み型照明器具の構成を図１中矢印Ｚ方向から見て示す図。
【図３】第１実施例に係る天井埋め込み型照明器具の一端部の構成を一部断面して示す側面図。
【図４】図３に示された一端部の構成を示す平面図。
【図５】図３に示された一端部の構成を分解して示す斜視図。
【図６】第１実施例に係る天井埋め込み型照明器具の構成を示す断面図。
【図７】図５中Ｙ部を拡大して示す斜視図。
【図８】第１実施例に係る天井埋め込み型照明器具の第３固定手段の構成を示す斜視図。
【図９】第１固定手段の構成を図８中Ｘ−Ｘ線に沿って示す断面図。
【図１０】第１実施例に係る天井埋め込み型照明器具を室内天井に取付ける器具取付け構造を示す断面図。
【図１１】第１実施例に係る天井埋め込み型照明器具を室内天井に取付ける際にナットが過度に締め上げられたときの器具取付け構造を示す断面図。
【図１２】  本発明の参考例に係る天井埋め込み型照明器具の一端部の構成を分解して示す斜視図。
【図１３】従来例に係る天井埋め込み型照明器具全体の構成を示す斜視図。
【図１４】従来例に係る天井埋め込み型照明器具の一端部の構成を示す平面図。
【図１５】図１４に示された一端部の構成を分解して示す斜視図。
【図１６】従来例に係る天井埋め込み型照明器具の構成を図１３中矢印Ｗ方向から見て一部切欠して概略的に示す図。
【図１７】従来例に係る天井埋め込み型照明器具を室内天井に取付ける器具取付け構造を示す断面図。
【図１８】従来例に係る天井埋め込み型照明器具を室内天井に取付ける際にナットが過度に締め上げられたときの器具取付け構造を示す断面図。
【符号の説明】
２１…器具本体、３１…反射板、３２…端板、３３…天板、３３ａ…天板端部側部分、３４…側板、３５…反射板の張出し縁部、４２…外側突出部、４８…端板の張出し縁部、５６…器具取付け孔、５７…吊りボルト、５８…ワッシャ、５９…ナット、６０…開口（変形遮断手段）、Ｅ…室内天井、Ｆ…器具埋め込み開口。
【図１】
0003817773.tif 000002
【図２】
0003817773.tif 000003
【図３】
0003817773.tif 000004
【図４】
0003817773.tif 000005
【図５】
0003817773.tif 000006
【図６】
0003817773.tif 000007
【図７】
0003817773.tif 000008
【図８】
0003817773.tif 000009
【図９】
0003817773.tif 000010
【図１０】
0003817773.tif 000011
【図１１】
0003817773.tif 000012
【図１２】
0003817773.tif 000013
【図１３】
0003817773.tif 000014
【図１４】
0003817773.tif 000015
【図１５】
0003817773.tif 000016
【図１６】
0003817773.tif 000017
【図１７】
0003817773.tif 000018
【図１８】
0003817773.tif 000019